(57)【要約】【課題】施工が容易であり、かつ地上からの水分の浸透が良好に行われるとともに、埋設管への圧力を低減することができ、良好な保護作用を有する埋設管保護材および埋設管の保護方法を提供する。【解決手段】地盤の溝内に埋設する管の保護材１である。タイヤ半径方向に二分割した廃タイヤの空洞部に、廃タイヤシュレッズ２が充填されてなる。地盤の溝内に埋設する管の保護方法である。廃タイヤをタイヤ半径方向に二分割する工程と、タイヤ半径方向に二分割された廃タイヤを地盤Ａの溝Ｂ内に切断面を上にして複数配設する工程と、上記二分割された廃タイヤの空洞部に廃タイヤシュレッズ２を充填する工程と、廃タイヤシュレッズが充填された廃タイヤのホイール孔上に配管する工程と、配管２０上を廃タイヤシュレッズ２ａで覆う工程と、を含む。【選択図】図１
2010255182.tif 000002
【特許請求の範囲】
【請求項１】
地盤の溝内に埋設する管の保護材において、タイヤ半径方向に二分割した廃タイヤの空洞部に、廃タイヤシュレッズが充填されてなることを特徴とする埋設管保護材。
【請求項２】
地盤の溝内に埋設する管の保護方法において、
廃タイヤをタイヤ半径方向に二分割する工程と、
タイヤ半径方向に二分割された廃タイヤを地盤の溝内に切断面を上にして複数配設する工程と、
上記二分割された廃タイヤの空洞部に廃タイヤシュレッズを充填する工程と、
廃タイヤシュレッズが充填された廃タイヤのホイール孔上に配管する工程と、
配管上を廃タイヤシュレッズで覆う工程と、
を含むことを特徴とする埋設管の保護方法。
【請求項３】
地盤及び溝内に遮水シートを敷設する工程を含む請求項２記載の埋設管の保護方法。
【発明の詳細な説明】
【技術分野】
【０００１】
本発明は、地盤の溝内に埋設する埋設管の保護材および埋設管の保護方法に関し、詳しくは、施工が容易であり、かつ地上からの水分の浸透が良好に行われるとともに、埋設管への圧力を低減することができ、良好な保護作用を有する埋設管保護材および埋設管の保護方法に関する。
【背景技術】
【０００２】
水道管、ガス管または排水管等は、塩化ビニール、ステンレス、鉄等の素材からなり、通常、安全性や利便性を考慮して地中に埋設されている。かかる管は、地盤の溝内に配設した後、礫等の被覆材を被せて地中に埋め立てられている。しかしながら、溝内の埋設管は、被覆材の鋭利な部分により管表面が傷付いたり、上部からの圧力により破損したりするという問題があった。
【０００３】
上記問題を解決するために、本出願人は先に、特許文献１において、埋立処分施設等の下部に設置する排水管の破損を防止するため、廃タイヤを利用した排水管保護構造を提案した。この特許文献１記載の廃タイヤを利用した排水管保護構造は、埋立処分施設等の地盤に敷設された遮水シートと、遮水シート上に間隔をおいて配設された複数の廃タイヤと、該複数の廃タイヤ内を貫通して配設された排水管と、該排水管の周囲に充填された廃タイヤチップとから構成されている。
【先行技術文献】
【特許文献】
【０００４】
【特許文献１】特開２００３−９００７６号公報
【発明の概要】
【発明が解決しようとする課題】
【０００５】
しかしながら、特許文献１のように、廃タイヤをそのまま用い、中に埋設管を通し、埋設管と廃タイヤの間に廃タイヤチップを埋めている構造は、埋設管の上から廃タイヤチップを入れているため、施工しづらいという欠点があった。また、廃タイヤを原型の輪の状態で用いているため、地上から水が浸透しにくいという問題も生あった。
【０００６】
そこで本発明の目的は、上記の課題を解決するために、施工が容易であり、かつ地上からの水分の浸透が良好に行われるとともに、埋設管への圧力を低減することができ、良好な保護作用を有する埋設管保護材および埋設管の保護方法を提供することにある。
【課題を解決するための手段】
【０００７】
本発明者らは、上記課題を解決するために鋭意検討した結果、二分割した廃タイヤを用いることで、上記目的を達成し得ることを見出し、本発明を完成するに至った。
【０００８】
即ち、本発明の埋設管保護材は、地盤の溝内に埋設する管の保護材において、タイヤ半径方向に二分割した廃タイヤの空洞部に、廃タイヤシュレッズが充填されてなることを特徴とするものである。
【０００９】
また、本発明の埋設管の保護方法は、地盤の溝内に埋設する管の保護方法において、廃タイヤをタイヤ半径方向に二分割する工程と、タイヤ半径方向に二分割された廃タイヤを地盤の溝内に切断面を上にして複数配設する工程と、上記二分割された廃タイヤの空洞部に廃タイヤシュレッズを充填する工程と、廃タイヤシュレッズが充填された廃タイヤのホイール孔上に配管する工程と、配管上を廃タイヤシュレッズで覆う工程と、を含むことを特徴とするものである。
【００１０】
本発明の保護方法においては、地盤及び溝内に遮水シートを敷設する工程を好適に含むことができる。
【発明の効果】
【００１１】
本発明によれば、施工が容易であり、かつ地上からの水分の浸透が良好に行われるとともに、埋設管への圧力を低減することができ、良好な保護作用を得ることができる。また、廃タイヤを再利用することで廃棄処理に伴う二酸化炭素の発生を生ずることがなく、環境面でも優れている。
【図面の簡単な説明】
【００１２】
【図１】本発明の一実施形態に係る埋設管保護材の使用状態の断面図である。
【図２】二分割した廃タイヤの斜視図である。
【図３】廃タイヤ内に廃タイヤシュレッズを充填した状態の斜視図である。
【図４】埋設管保護材を溝内に配列し埋設管を配設した状態を示す斜視図である。
【図５】埋設管保護材の上部に廃タイヤシュレッズを被覆した状態を示す斜視図である。
【発明を実施するための形態】
【００１３】
以下、図面を参照して本発明の好適実施形態について説明する。
図１〜図３に示すように、本発明の埋設管保護材１は、二分割した廃タイヤ１０の空洞部１１に、廃タイヤシュレッズ２が充填されてなる。
【００１４】
埋設管保護材１に使用される廃タイヤ１０は、トラック・バス用タイヤ、乗用車用タイヤ、建設車両用タイヤ等のさまざまな廃タイヤを使用することができるが、工法上、タイヤの径やトレッド幅を統一した廃タイヤを用いることが望ましい。かかる廃タイヤ１０を、図２に示す状態にタイヤ半径方向に二分割し、図３に示すように、空洞部１１に廃タイヤシュレッズ２を充填する。
【００１５】
廃タイヤシュレッズ２は、タイヤチップと呼ばれる廃タイヤチップ破砕品を主な材料とし、廃タイヤを機械的な処理により破砕したものが好適である。廃タイヤシュレッズ２の性状としては、ランダム破砕品、カット品、例えば、１／１６カット品、１／３２カット品、扇形カット品など、いずれの性状であってもよい。
【００１６】
また、廃タイヤシュレッズ２のサイズは、長径が２０〜６０ｍｍであるものが望ましい。この長径が２０ｍｍ未満であると、スチールコードのはみ出しが多くなり施工性が悪くなる。一方、６０ｍｍを超えると空隙が大きくなり、溝部の地盤沈下が起こりやすくなる。
【００１７】
本発明の埋設管の保護方法の好適実施形態においては、本発明の埋設管保護材１を、図４に示すように、保護材１の切断面１３が上部に配置されるように地盤Ａの溝Ｂ内に複数配列する。この際、予め溝Ｂの両側面の上部に、保護部Ｃを形成しておくことが望ましい。保護部Ｃには、例えば、土とセメントを混合した材料などを好適に用いることができる。
【００１８】
また、埋設管保護材１同士の間隔は、図示するように互いに接する状態に配列してもよいが、作業性やコストを考慮し、例えば、５０ｃｍ程度の適宜間隔をあけてもよい。埋設管保護材１を配列した後、埋設管２０を埋設管保護材１上のホイール孔部分１２に配設する。
【００１９】
埋設管２０を埋設管保護材１のホイール孔１２に配設した後、図５に示すように、上部から重機または手作業で廃タイヤシュレッズ２ａを撒き出しながら充填する。埋設管保護材１の上部に廃タイヤシュレッズ２ａを充填した後、保護部Ｃとタイヤシュレッズ２ａの上部に盛土Ｄを施す。
【００２０】
本発明の埋設管の保護方法においては、上記のように、すでに廃タイヤシュレッズが内部に充填された埋設管保護材１を溝内に配列する方法に限らず、廃タイヤをタイヤ半径方向に二分割した状態で、切断面を上にして地盤の溝内に複数配設し、その後、配設した廃タイヤの空洞部に廃タイヤシュレッズを充填する方法も、好適に用いることができる。この場合も、その後、ホイール孔上に配管を行って、その上を廃タイヤシュレッズで覆う手順は同様に行うことができる。
【００２１】
また、本発明の埋設管の保護方法においては、図１に示すように、地盤Ａ及び溝Ｂ内に遮水シート３を敷設することが望ましい。遮水シート３は、厚さが１．５ｍｍ程度の不透水性素材で形成されており、溝Ｂの周囲と地盤Ａの表面に被覆されている。地盤Ａ及び溝Ｂ内に遮水シート３を敷設することにより、溝Ｂにおける雨水の排水効果を高めることができる。
【００２２】
本発明のように、二分割した廃タイヤと廃タイヤシュレッズとを組み合わせることにより、保護材の施工が容易になるとともに、地上から雨水の浸透がスムーズになる。また、配設した埋設管への圧力が低減され、良好な保護作用が得られるため、埋設管表面の傷付きや破損を軽減することができる。
【符号の説明】
【００２３】
１  埋設管保護材
２  廃タイヤシュレッズ
２ａ  廃タイヤシュレッズ
３  遮水シート
１０  廃タイヤ
１１  空洞部
１２  ホイール孔
１３  切断面
２０  埋設管
Ａ  地盤
Ｂ  溝
Ｃ  保護部
Ｄ  盛土
【図１】
2010255182.tif 000003
【図２】
2010255182.tif 000004
【図３】
2010255182.tif 000005
【図４】
2010255182.tif 000006
【図５】
2010255182.tif 000007